(57)【要約】【課題】熱交換器全体に均一な空気流を有利に提供する気流ガイドを提供する。【解決手段】気流ガイド１２は、複数の気流制御ブレード７０Ａ、７０Ｂ、７０Ｃを有する。複数の気流制御ブレード７０Ａ、７０Ｂ、７０Ｃを含む気流ガイド１２は、空気ダクト２４に取り付けられる。少なくとも２つの気流制御ブレードは、空気ダクト２４の曲率にわたって気流を最適化するように構成されている。少なくとも２つの気流制御ブレードは、異なる曲率、または、異なる弦長を有する。気流ガイド１２は、複数の気流制御ブレード７０Ａ、７０Ｂ、７０Ｃを回動させるための連動機構によって複数の気流制御ブレードに連結されたアクチュエータを備える。【選択図】図１
2020153657.tif 000002
【特許請求の範囲】
【請求項１】
空気ダクトに取り付けられる複数の気流制御ブレードであって、少なくとも２つの前記気流制御ブレードは、前記空気ダクトのダクト湾曲部において気流を最適化するように構成されており、異なる曲率、または、異なる弦長を有する複数の気流制御ブレードと、
複数の前記気流制御ブレードを回動させるための連動機構によって複数の前記気流制御ブレードに連結されたアクチュエータとを備える気流ガイド。
【請求項２】
複数の前記気流制御ブレードは、第１曲率を有する第１気流制御ブレード、第２曲率を有する第２気流制御ブレード、および、第３曲率を有する第３気流制御ブレードを含み、
前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、
前記第１気流制御ブレードの前記第１曲率は、前記第２気流制御ブレードの前記第２曲率よりも大きい請求項１に記載の気流ガイド。
【請求項３】
前記第１気流制御ブレードの前記第１曲率は、前記第３気流制御ブレードの前記第３曲率よりも大きい値をもち、
前記第３気流制御ブレードの第３曲率は、前記第１気流制御ブレードの第１曲率よりも小さい値をもち、
前記第３気流制御ブレードの前記第３曲率は、前記第２気流制御ブレードの前記第２曲率よりも大きい請求項２に記載の気流ガイド。
【請求項４】
複数の前記気流制御ブレードは、第１弦長を有する第１気流制御ブレード、第２弦長を有する第２気流制御ブレード、および、第３弦長を有する第３気流制御ブレードを含み、
前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、
前記第１気流制御ブレードの前記第１弦長は、前記第２気流制御ブレードの前記第２弦長よりも短い請求項１に記載の気流ガイド。
【請求項５】
前記第１気流制御ブレードの前記第１弦長は、前記第２気流制御ブレードの前記第２弦長よりも短い値をもち、
前記第３気流制御ブレードの前記第３弦長は、前記第２気流制御ブレードの前記第２弦長よりも短い請求項４に記載の気流ガイド。
【請求項６】
前記連動機構は、
前記アクチュエータによって移動可能なように、前記アクチュエータに接続されたロッドと、
前記ロッドを前記第１気流制御ブレードに接続する第１リンクと、
前記ロッドを前記第２気流制御ブレードに接続する第２リンクと、
前記ロッドを前記第３気流制御ブレードに接続する第３リンクとを備え、
前記第１リンクは、前記第２リンクよりも短い請求項２に記載の気流ガイド。
【請求項７】
前記第３リンクは、前記第１リンクより長く、前記第２リンクよりも短い請求項６に記載の気流ガイド。
【請求項８】
前記アクチュエータによる前記ロッドの作動は、前記第１気流制御ブレードを、前記第２気流制御ブレード、および、前記第３気流制御ブレードのそれぞれよりも大きな回動角度だけ回動させる請求項７に記載の気流ガイド。
【請求項９】
前記アクチュエータによる前記ロッドの作動は、前記第３気流制御ブレードを前記第２気流制御ブレードよりも大きな回動角度だけ回動させ、かつ、前記第３気流制御ブレードを前記第１気流制御ブレードよりも小さな回動角度だけ回動させる請求項８に記載の気流ガイド。
【請求項１０】
前記第１リンク、および、前記第２リンクのそれぞれは、前記ロッドによって区画される異なるスロット内にスライド可能に受け入れられている請求項６に記載の気流ガイド。
【請求項１１】
空気ダクトに取り付けられる複数の気流制御ブレードであって、少なくとも２つの前記気流制御ブレードは、前記空気ダクトのダクト湾曲部において気流を最適化するように構成されており、異なる曲率、または、異なる弦長を有する複数の気流制御ブレードと、
複数の前記気流制御ブレードを回動させるための連動機構によって複数の前記気流制御ブレードに連結されたアクチュエータと、
前記空気ダクトを通過する空気の流れの風速を測定するように構成された風速計と、
前記風速計に接続されて前記風速を受信し、前記空気ダクト内のファンに接続されて前記ファンのファン速度を受信する制御装置であって、前記空気ダクトに配置された熱交換器全体に均等に空気を指向させるように、前記風速と前記ファン速度とに基づいて、複数の前記気流制御ブレードを予め定められた角度位置に回動させるように前記アクチュエータを操作する制御装置とを備える気流ガイド。
【請求項１２】
複数の前記気流制御ブレードは、前記空気ダクトのダクト湾曲部に配置されている請求項１１に記載の気流ガイド。
【請求項１３】
複数の前記気流制御ブレードは、第１曲率を有する第１気流制御ブレード、第２曲率を有する第２気流制御ブレード、および、第３曲率を有する第３気流制御ブレードを含み、
前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、
前記第１気流制御ブレードの前記第１曲率は、前記第２気流制御ブレードの前記第２曲率よりも大きい請求項１１に記載の気流ガイド。
【請求項１４】
前記第１気流制御ブレードの前記第１曲率は、前記第３気流制御ブレードの前記第３曲率よりも大きい値をもち、
前記第３気流制御ブレードの第３曲率は、前記第１気流制御ブレードの第１曲率よりも小さい値をもち、
前記第３気流制御ブレードの前記第３曲率は、前記第２気流制御ブレードの前記第２曲率よりも大きい請求項１３に記載の気流ガイド。
【請求項１５】
複数の前記気流制御ブレードは、第１弦長を有する第１気流制御ブレード、第２弦長を有する第２気流制御ブレード、および、第３弦長を有する第３気流制御ブレードを含み、
前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、
前記第１気流制御ブレードの前記第１弦長は、前記第２気流制御ブレードの前記第２弦長よりも短い請求項１１に記載の気流ガイド。
【請求項１６】
前記第１気流制御ブレードの前記第１弦長は、前記第２気流制御ブレードの前記第２弦長よりも短い値をもち、
前記第３気流制御ブレードの前記第３弦長は、前記第２気流制御ブレードの前記第２弦長よりも短い請求項１５に記載の気流ガイド。
【請求項１７】
前記連動機構は、
前記アクチュエータによって移動可能なように、前記アクチュエータに接続されたロッドと、
前記ロッドを前記第１気流制御ブレードに接続する第１リンクと、
前記ロッドを前記第２気流制御ブレードに接続する第２リンクと、
前記ロッドを前記第３気流制御ブレードに接続する第３リンクとを備え、
前記第１リンクは、前記第２リンクよりも短い請求項１３に記載の気流ガイド。
【請求項１８】
前記第３リンクは、前記第１リンクより長く、前記第２リンクよりも短い請求項１７に記載の気流ガイド。
【請求項１９】
前記アクチュエータによる前記ロッドの作動は、前記第１気流制御ブレードを、前記第２気流制御ブレード、および、前記第３気流制御ブレードのそれぞれよりも大きな回動角度だけ回動させる請求項１８に記載の気流ガイド。
【請求項２０】
前記アクチュエータによる前記ロッドの作動は、前記第３気流制御ブレードを前記第２気流制御ブレードよりも大きな回動角度だけ回動させ、かつ、前記第３気流制御ブレードを前記第１気流制御ブレードよりも小さな回動角度だけ回動させる請求項１９に記載の気流ガイド。
【発明の詳細な説明】
【技術分野】
【０００１】
この明細書における開示は、気流ガイドに関する。
【背景技術】
【０００２】
この項は、開示に関連する背景技術を提供するが、それは必ずしも従来技術ではない。
【０００３】
多くの車両には、フロントグリルを通過する空気の量を制御するグリルが搭載されている。グリルは、冷却要求が少ない高速運転中において、車両の抗力係数が向上する利点を有する。電気自動車に関しては、一部の車両メーカーは、以前はエンジンルームがあった場所、および、その前を、荷物等の保管場所に利用することを検討している。その結果、冷却モジュールの高さを低くする必要がある。これを達成するひとつの方法は、熱交換器を大きな後方傾斜角度で配置し、ダクトを使用してグリルから熱交換器に空気流を誘導することである。ただし、このようなパッケージ構成では、空気流の量と分布とが減少する。これは、ダクトが急な湾曲をもつためである。急な湾曲は、熱交換器全体に不均一な気流分布を引き起こすので望ましくない。この開示は、熱交換器全体に均一な空気流を有利に提供する気流ガイドを提供する。
【発明の概要】
【０００４】
この項は、概要を提供し、開示の全範囲またはその全特徴の包括的な開示ではない。
【０００５】
この明細書における開示は、複数の気流制御ブレードを有する気流ガイドを含む。複数の気流制御ブレードを含む気流ガイドは、空気ダクトに取り付けられる。少なくとも２つの気流制御ブレードは、空気ダクトのダクト湾曲部において気流を最適化するように構成されている。少なくとも２つの気流制御ブレードは、異なる曲率、または、異なる弦長を有する。気流ガイドは、複数の気流制御ブレードを回動させるための連動機構によって複数の気流制御ブレードに連結されたアクチュエータを備える。
【０００６】
この明細書における開示は、気流ガイドを提供する。気流ガイドは、空気ダクトに取り付けられる複数の気流制御ブレードであって、少なくとも２つの気流制御ブレードは、空気ダクトのダクト湾曲部において気流を最適化するように構成されており、異なる曲率、または、異なる弦長を有する複数の気流制御ブレードと、複数の気流制御ブレードを回動させるための連動機構によって複数の気流制御ブレードに連結されたアクチュエータと、空気ダクトを通過する空気の流れの風速を測定するように構成された風速計と、風速計に接続されて風速を受信し、空気ダクト内のファンに接続されてファンのファン速度を受信する制御装置であって、空気ダクトに配置された熱交換器全体に均等に空気を指向させるように、風速とファン速度とに基づいて、複数の気流制御ブレードを予め定められた角度位置に回動させるようにアクチュエータを操作する制御装置とを備える。
【０００７】
さらに他の適用可能な領域は、ここで提供される説明から明らかになるであろう。この概要における説明、および、特定の実施形態は、図示のためだけを意図されており、この開示の範囲を限定するものではない。
【図面の簡単な説明】
【０００８】
ここに記載された図面は、選択された実施形態を図示するだけのものであって、すべての実用的な可能性を示すものではなく、この開示の範囲を限定するものではない。
【図１】図１は、この開示による気流ガイドを含む車両の前端を示す断面図である。
【図２】図１の気流ガイドの詳細を示す断面図である。
【０００９】
複数の図面の図示にわたって、対応する参照符号は、対応する部分を指している。
【発明を実施するための形態】
【００１０】
以下、複数の実施形態を添付の図面を参照しながら詳細に説明する。複数の図面の図示にわたって、対応する参照符号は、対応する部分を指している。なお、図面は、選択された実施形態を図示するだけのものであって、すべての実用的な可能性を示すものではなく、この開示の範囲を限定するものではない。
【００１１】
図１において、この開示による気流ガイド１２を含む例示的な車両１０が示されている。車両１０は、任意の適切な乗用車、大量輸送車両、レクリエーション車両、ユーティリティ車両、建設車両／機器、軍用車両／機器、船舶などの任意の適切な車両であり得る。気流ガイド１２は、任意の適切な非車両用途にも適用可能である。
【００１２】
例示的な車両１０は、フロントバンパー２０を含む。フロントバンパー２０の近くには、空気ダクト２４の開口部に位置づけられたグリル２２がある。空気ダクト２４は、車両１０の前方部分から、車両１０の内側部分へ向けて延びている。空気ダクト２４は、ダクト湾曲部２６において、その長さ方向に沿って湾曲している。空気ダクト２４の上には、保管場所３０が位置している。保管場所３０は、荷物を収容するためのトランク、または、スペアタイヤを収容するための収納庫である。車両１０のフード３２は、保管場所３０を覆っている。
【００１３】
空気ダクト２４は、図中左側の上流側から図中右側の下流側に向かう空気流れ方向において、車両１０の前後方向、または、斜め上向きの上流段階と、斜め下向きの下流段階とを含む。空気ダクト２４の入口開口部は、車両１０の外面に開口している。入口開口部には、グリル２２が設けられている。空気ダクト２４の出口開口部は、車両１０の外部に向けて開口している。空気ダクト２４は、上流段階と、下流段階との間において、斜め上向きから斜め下向きへと転向している。ダクト湾曲部２６は、湾曲における内側に位置している。ダクト湾曲部２６は、空気ダクト２４における湾曲の内側に位置づけられた内側壁でもある。ダクト湾曲部２６は、転向部分でもある。ダクト湾曲部２６における壁面に沿って、空気ダクト２４における空気の流れも、斜め上向きから斜め下向きへと転向している。斜め下向きの空気流れは、熱交換器４０において熱交換器４０の厚さ方向に流れるように、熱交換器４０にスムーズに流れ込む。
【００１４】
空気ダクト２４内において、ダクト湾曲部２６に対して、グリル２２と反対側には、熱交換器４０とファン４２が配置されている。熱交換器４０は、ラジエータなどの任意の適切な熱交換器とすることができる。ファン４２は、空気ダクト２４を通って熱交換器４０を横切る空気流を生成するように構成された任意の適切な空気流生成装置である。また、風速計５０などの任意の適切な風速測定装置が空気ダクト２４内に配置されている。風速計５０は、空気ダクト２４に沿った任意の適切な位置に配置することができる。
【００１５】
制御装置（ＥＣＵ）６０は、風速計５０、および、ファン４２からの入力信号を受信している。制御装置６０は、空気ダクト２４を通って流れる空気流の速度を表す信号を風速計５０から受信する。制御装置６０は、ファン４２から、ファン４２の回転速度を識別するための信号を受信する。制御装置６０は、制御モジュールとも呼ばれる。
【００１６】
この出願において、以下の定義を含めて、用語「制御装置」、用語「モジュール」、または、用語「コントローラ」は、用語「電子装置」または用語「回路」に置き換えられてもよい。用語「制御装置」、および、用語「モジュール」は、コードを実行するためのハードウェアのプロセッサ（共有、専用、またはグループ）、および、ハードウェアのプロセッサによって実行されるコードを格納するハードウェアのメモリ（共有、専用、またはグループ）の一部、または全体を含む。コードは、この明細書に記載の制御装置の機能、および、特徴を提供するように構成されている。用語「ハードウェアのメモリ」は、コンピュータ読み取り可能な媒体という用語の一部である。用語「コンピュータ読み取り可能な媒体」は、搬送波上のような媒体を通って伝搬する一時的な電気的または電磁的信号を包含することはなく、したがって、用語「コンピュータ読み取り可能な媒体」は、実体的かつ非一時的（非遷移的）であると解釈される。非一時的なコンピュータ読み取り可能な媒体の非限定的な例は、（フラッシュメモリデバイス、消去可能なプログラム可能な読み出し専用メモリデバイス、またはマスク型の読み出し専用メモリデバイスなどの）不揮発性メモリデバイス、または（スタティックランダムアクセスメモリデバイスまたはダイナミックランダムアクセスメモリデバイスなどの）揮発性メモリデバイス、または、（アナログまたはデジタル磁気テープまたはハードディスクドライブなどの）磁気記憶媒体、または（ＣＤ、ＤＶＤ、またはＢｌｕ−ｒａｙ（Ｂｌｕ−ｒａｙは登録商標）ディスクなどの）光記憶媒体である。
【００１７】
引き続き図１を参照し、図２をさらに参照して、気流ガイド１２をさらに詳細に説明する。気流ガイド１２は、複数の気流制御ブレードを有する。気流ガイド１２は、任意の適切な数の気流制御ブレードを有することができる。図示の例では、気流ガイド１２は、３つの気流制御ブレードを有する。気流ガイド１２は、第１気流制御ブレード７０Ａ、第２気流制御ブレード７０Ｂ、および、第３気流制御ブレード７０Ｃを有する。第１気流制御ブレード７０Ａは、ダクト湾曲部２６に対して最も近くに配置されている。第２気流制御ブレード７０Ｂは、ダクト湾曲部２６から最も遠くに離れて配置されている。第３気流制御ブレード７０Ｃは、第１気流制御ブレード７０Ａと第２気流制御ブレード７０Ｂとの間に配置されている。複数の気流制御ブレード７０Ａ、７０Ｂ、７０Ｃは、複数の気流制御ブレード７０Ａ、７０Ｂ、７０Ｃの長さ方向に関して、空気ダクト２４を通る空気の流れに対して垂直に、または、ほぼ垂直に延びるように、空気ダクト２４を横切って延びるように設置されている。図示の例では、複数の気流制御ブレード７０Ａ、７０Ｂ、７０Ｃは、紙面に対して垂直に延びている。複数の気流制御ブレード７０Ａ、７０Ｂ、７０Ｃは、空気ダクト２４を横切って延びるロッド上など、任意の適切な方法で空気ダクト２４内に取り付けられている。
【００１８】
複数の気流制御ブレード７０Ａ、７０Ｂ、７０Ｃは、任意の適切なアクチュエータ８０によって回動可能である。いくつかの用途では、アクチュエータ８０はサーボ機構である。サーボ機構は、電動サーボモータ、気圧サーボモータ、油圧サーボモータなど多様な動力源を備えることができる。アクチュエータ８０は、アクチュエータ８０の動作を制御するための制御装置６０から入力信号を受け取る。アクチュエータ８０は、連動機構９０を介して、複数の気流制御ブレード７０Ａ、７０Ｂ、７０Ｃを回動させる。
【００１９】
連動機構９０は、リンク機構を含む。連動機構９０は、アクチュエータ８０に接続されたロッド９２を含む。ロッド９２は、アクチュエータ８０の作動によって移動可能である。ロッド９２は、第１のカップリング９４Ａ、第２のカップリング９４Ｂ、および、第３のカップリング９４Ｃなどの複数のカップリングを含む。複数のカップリングは、リンク機構における、回転部、および、スライド部によって提供されている。図示の例では、第１のカップリング９４Ａ、および、第３のカップリング９４Ｃは、それぞれ、スライド部によって提供されている。第２のカップリング９４Ｂは、いくつかの用途ではスロットを画定してもよいが、図示の例ではそうではない。第２のカップリング９４Ｂは、回転部によって提供されている。
【００２０】
連動機構９０は、第１リンク１１０Ａ、第２リンク１１０Ｂ、および、第３リンク１１０Ｃをさらに含む。第１リンク１１０Ａは、第１気流制御ブレード７０Ａとロッド９２とを第１のカップリング９４Ａにおいて接続する。この結果、第１気流制御ブレード７０Ａとアクチュエータ８０との間に連動関係が構築される。第２リンク１１０Ｂは、第２気流制御ブレード７０Ｂとロッド９２とを第２のカップリング９４Ｂにおいて接続する。この結果、第２気流制御ブレード７０Ｂとアクチュエータ８０との間に連動関係が構築される。第３リンク１１０Ｃは、第３気流制御ブレード７０Ｃとロッド９２とを第３のカップリング９４Ｃにおいて接続する。この結果、第３気流制御ブレード７０Ｃとアクチュエータ８０との間に連動関係が構築される。第１リンク１１０Ａは、第２リンク１１０Ｂ、および、第３リンク１１０Ｃのそれぞれよりも短い。第２リンク１１０Ｂは、第１リンク１１０Ａ、および、第３リンク１１０Ｃのそれぞれよりも長い。第３リンク１１０Ｃは、第１リンク１１０Ａよりも長く、第２リンク１１０Ｂよりも短い。
【００２１】
第１のカップリング９４Ａ、および、第３のカップリング９４Ｃは、スライド移動を許容するためのスロットと、スロット内に移動可能に配置されたスライダピンとを含む。第１リンク１１０Ａ、および、第２リンク１１０Ｂのそれぞれは、ロッド９２によって区画される異なるスロット内にスライド可能に受け入れられている。
【００２２】
複数の気流制御ブレード７０Ａ、７０Ｂ、７０Ｃのそれぞれは、その弦長Ａ、Ｂ、Ｃに沿って湾曲している。第１気流制御ブレード７０Ａは、第２気流制御ブレード７０Ｂ、および、第３気流制御ブレード７０Ｃのそれぞれよりも大きく湾曲している。第２気流制御ブレード７０Ｂは、第１気流制御ブレード７０Ａ、および、第３気流制御ブレード７０Ｃよりも湾曲が小さい。第３気流制御ブレード７０Ｃは、第１気流制御ブレード７０Ａよりも小さく湾曲し、第２気流制御ブレード７０Ｂよりも大きく湾曲している。
【００２３】
言い換えると、第１気流制御ブレード７０Ａの第１曲率は、第２気流制御ブレード７０Ｂの第２曲率よりも大きい値をもつ。第１気流制御ブレード７０Ａの第１曲率は、第３気流制御ブレード７０Ｃの第３曲率よりも大きい値をもつ。第２気流制御ブレード７０Ｂの第２曲率は、第１気流制御ブレード７０Ａの第１曲率より小さい値をもつ。第２気流制御ブレード７０Ｂの第２曲率は、第３気流制御ブレード７０Ｃの第３曲率よりも小さい値をもつ。第２気流制御ブレード７０Ｂの第２曲率は、第１気流制御ブレード７０Ａの第１曲率よりも小さい値をもつ。第２気流制御ブレード７０Ｂの第２曲率は、第３気流制御ブレード７０Ｃの第３曲率よりも小さい値をもつ。
【００２４】
複数の気流制御ブレード７０Ａ、７０Ｂ、７０Ｃのそれぞれの曲率は、ひとつのブレードがもつ複数の曲率を総合的に考慮して評価される。ひとつのブレードは、長さ方向に沿って、徐々に変化する可変の曲率をもつ場合がある。例えば、ひとつのブレードは、流れ方向に沿って、上流域において小さい曲率値をもち、下流域において大きい曲率値をもつ可変曲率をもつ。この場合、ひとつのブレードの曲率は、流れ方向における平均的な曲率、最大の曲率、または、上流端接線と下流端接線とから規定される仮想の全体曲率に基づいて評価できる。なお、曲率は、曲率半径の逆数である。
【００２５】
第１気流制御ブレード７０Ａ、第２気流制御ブレード７０Ｂ、および、第３気流制御ブレード７０Ｃは、ダクト湾曲部２６から湾曲の外側に向けて、第１気流制御ブレード７０Ａ、第３気流制御ブレード７０Ｃ、第２気流制御ブレード７０Ｂの順で並んでいる。第１気流制御ブレード７０Ａの第１曲率の値、第２気流制御ブレード７０Ｂの第２曲率の値、および、第３気流制御ブレード７０Ｃの第３曲率の値は、第１曲率の値＞第３曲率の値＞第２曲率の値の関係にある。言い換えると、第１気流制御ブレード７０Ａの第１曲率半径の値、第２気流制御ブレード７０Ｂの第２曲率半径の値、および、第３気流制御ブレード７０Ｃの第３曲率半径の値は、第１曲率半径の値＜第３曲率半径の値＜第２曲率半径の値の関係にある。
【００２６】
第１気流制御ブレード７０Ａの弦長Ａは、第２気流制御ブレード７０Ｂの弦長Ｂよりも短い値をもつ。第１気流制御ブレード７０Ａの弦長Ａは、第３気流制御ブレード７０Ｃの弦長Ｃよりも短い値をもつ。第２気流制御ブレード７０Ｂの弦長Ｂは、弦長Ａ、および、弦長Ｃよりも長い値をもつ。弦長Ｃは、弦長Ａより長く、かつ、弦長Ｂより短い値をもつ。
【００２７】
言い換えると、第１気流制御ブレード７０Ａの第１弦長の値、第２気流制御ブレード７０Ｂの第２弦長の値、および、第３気流制御ブレード７０Ｃの第３弦長の値は、第１弦長の値＜第３弦長の値＜第２弦長の値の関係にある。
【００２８】
複数の気流制御ブレード７０Ａ、７０Ｂ、７０Ｃの曲率と弦長Ａ、Ｂ、Ｃは、熱交換器４０を横切る空気流を最適化するために設定されている。具体的には、曲率、および、弦長は、空気ダクト２４の長さ、空気ダクト２４の幅、空気ダクト２４におけるダクト湾曲部２６の位置、および、空気ダクト２４における熱交換器４０の位置などの可変要素に応じて設定されている。
【００２９】
図示の例では、少なくとも２つの気流制御ブレードの曲率と弦長との両方が異なる。これに代えて、少なくとも２つの気流制御ブレードの曲率だけが異なる場合がある。また、少なくとも２つの気流制御ブレードの弦長だけが異なる場合がある。よって、この明細書の開示は、曲率、および、弦長の少なくとも一方が異なる場合を含む。図示の例では、すべての気流制御ブレードが、曲率と弦長との両方に関して異なっている。これに代えて、気流ガイド１２は、曲率と弦長とが等しい２つ以上の気流制御ブレードを含む場合がある。
【００３０】
アクチュエータ８０による連動機構９０の作動により、複数の気流制御ブレード７０Ａ、７０Ｂ、７０Ｃが連動的に回動する。このとき、第１リンク１１０Ａは、第２リンク１１０Ｂ、および、第３リンク１１０Ｃのそれぞれよりも短いため、第１気流制御ブレード７０Ａは、第２気流制御ブレード７０Ｂおよび第３気流制御ブレード７０Ｃのそれぞれよりも大きい回転角度にわたって回動する。ロッド９２の作動により、複数の気流制御ブレード７０Ａ、７０Ｂ、７０Ｃが連動的に回動する。このとき、第２リンク１１０Ｂが第１リンク１１０Ａ、および、第３リンク１１０Ｃよりも長いため、第２気流制御ブレード７０Ｂは、第１気流制御ブレード７０Ａ、および、第３気流制御ブレード７０Ｃのそれぞれよりも小さい回転角度にわたって回動する。ロッド９２の作動により、複数の気流制御ブレード７０Ａ、７０Ｂ、７０Ｃが連動的に回動する。
【００３１】
このとき、第３リンク１１０Ｃは第１リンク１１０Ａよりも長く、第２リンク１１０Ｂよりも短いため、第３気流制御ブレード７０Ｃは、第１気流制御ブレード７０Ａの回転角度よりも小さい回転角度にわたって、かつ、第２気流制御ブレード７０Ｂの回転角度よりも大きい回転角度にわたって回動する。したがって、複数の気流制御ブレード７０Ａ、７０Ｂ、７０Ｃのそれぞれの回転角度の範囲は、それぞれのリンク１１０Ａ、１１０Ｂ、１１０Ｃの長さによって規定される。一般に、リンク１１０Ａ、１１０Ｂ、１１０Ｃが長くなるほど、気流制御ブレード７０Ａ、７０Ｂ、７０Ｃの回転は小さくなる。したがって、リンク１１０Ａ、１１０Ｂ、１１０Ｃの長さをカスタマイズして、気流制御ブレード７０Ａ、７０Ｂ、７０Ｃのそれぞれの位置を最適化して、熱交換器４０全体に空気流を均等に分配することができる。
【００３２】
図示の例では、連動機構９０は、アクチュエータ８０の作動を、複数の気流制御ブレード７０Ａ、７０Ｂ、７０Ｃの回転角度に変換する変換特性を有する。短いリンクは大きい回転角度を提供し、長いリンクは小さい回転角度を提供するから、連動機構９０は、比例的な変換特性を提供している。アクチュエータ８０によるロッド９２の作動は、第１気流制御ブレード７０Ａを、第２気流制御ブレード７０Ｂ、および、第３気流制御ブレード７０Ｃのそれぞれよりも大きな回動角度だけ回動させる。アクチュエータ８０によるロッド９２の作動は、第３気流制御ブレード７０Ｃを第２気流制御ブレード７０Ｂよりも大きな回動角度だけ回動させ、かつ、第３気流制御ブレード７０Ｃを第１気流制御ブレード７０Ａよりも小さな回動角度だけ回動させる。
【００３３】
制御装置６０は、風速計５０によって測定されるファン４２の速度、および、空気ダクト２４を通る空気流の速度に基づいて、気流制御ブレード７０Ａ、７０Ｂ、および、７０Ｃを回動させることによって、所定の角度に角度付けするようにアクチュエータ８０を有利に作動させて、熱交換器４０において、最適な空気流分布、および／または、空気流分布の均一性を生成する。風速計５０において観測される速度は、車両１０の速度、および、ファン４２の速度に直接的に対応する。したがって、この開示は、熱交換器４０がダクト湾曲部２６の下流にあって、これによりダクト湾曲部２６に起因して熱交換器４０を流れる空気流が乱される構成においても、熱交換器４０全体に最適で均一な空気流を提供する気流ガイド１２を有利に提供する。
【００３４】
制御装置６０は、風速計５０に接続されることによって風速を示す信号を受信する。制御装置６０は、空気ダクト２４内のファン４２に接続されることによってファン４２のファン速度を受信する。制御装置６０は、風速とファン速度とに基づいて、複数の気流制御ブレード７０Ａ、７０Ｂ、および、７０Ｃを予め定められた角度位置に回動させるようにアクチュエータ８０を操作する。予め定められた角度位置は、空気ダクト２４に配置された熱交換器４０の全体にわたって、部分的な過剰な偏りを抑制し、許容できる均一さで空気を指向させるように、予め定められている。予め定められた角度位置は、制御装置６０における制御関数、または、制御マップとして格納されている。
【００３５】
したがって、この開示は、既存のアクティブグリルシャッタに対する改善を提供する。既存のアクティブグリルシャッタは、典型的には、気流ガイド１２よりもグリル２２の近く、または、グリル２２の位置に配置され、ダクト湾曲部２６によって引き起こされる熱交換器４０における気流の乱れ、および、不均一な気流を補償することができない。当業者は、この開示が多数の追加的な利点、および、予想外の結果も提供することを理解するであろう。
【００３６】
制御装置６０は、風速計に接続されて風速を受信する。制御装置６０は、空気ダクト２４内のファン４２に接続されてファン４２のファン速度を受信する。制御装置６０は、空気ダクト２４に配置された熱交換器４０の全体にわたって均等に空気を指向させるように、アクチュエータ８０を操作する。制御装置６０は、風速とファン速度とに基づいて、アクチュエータ８０を操作する。制御装置６０は、風速の可変範囲と、ファン速度との可変範囲とにわたって予め定められた角度位置を設定する制御特性を記憶している。制御装置６０は、制御特性に基づいて、観測された風速と、観測されたファン速度とから、複数の気流制御ブレード７０Ａ、７０Ｂ、および、７０Ｃの目標角度位置を特定する。制御装置６０は、目標角度位置を実現するように、アクチュエータ８０を操作する。この結果、制御装置６０は、複数の気流制御ブレード７０Ａ、７０Ｂ、および、７０Ｃを予め定められた角度位置に回動させるようにアクチュエータ８０を操作する。
【００３７】
この実施形態では、空気ダクト２４は、ダクト湾曲部２６を備える。このため、ダクト湾曲部２６が空気流れの偏った分布を生成する。気流ガイド１２は、ダクト湾曲部２６に起因する空気流れの偏った分布を修正し、熱交換器４０において空気流れの偏った分布を抑制する。しかも、車両１０の速度、および、ファン４２の速度の変動に起因して、空気ダクト２４における空気流れの速度が変化し、ダクト湾曲部２６に起因する偏った分布が変化する。制御装置６０は、空気ダクト２４における空気流れの速度に応じた角度に、複数の気流制御ブレード７０Ａ、７０Ｂ、７０Ｂのそれぞれを角度付けるから、分布の変化が抑制される。この結果、広い運転範囲にわたって、熱交換器４０における空気流れの偏った分布が抑制される。
【００３８】
この開示における気流ガイド１２は、少なくともひとつの気流制御ブレードの回動角度が可変である。よって、気流ガイド１２は、可変気流ガイド、アクティグ気流ガイド、または、可変ルーバーとも呼ばれる。気流ガイド１２は、グリル２２から離れて設置された別個の部材である。気流ガイド１２は、グリル２２と熱交換器４０との間に配置されている。気流ガイド１２は、グリルシャッタとも呼ばれる場合がある。
【００３９】
上述の複数の実施形態の説明は、例示および説明のために提供されたものである。この開示は、網羅的であること、または開示を限定することを意図するものではない。特定の実施形態の個々の要素または特徴は、一般にその特定の実施形態に限定されないが、適用可能であれば、交換可能であり、特に示されていないまたは記載されていない場合でも選択された実施形態で使用できる。同じことは、多様に変化することができる。そのような変形は、開示からの逸脱とみなされるべきではなく、そのような変更のすべては、この開示の範囲内に含まれることが意図されている。
【００４０】
例示的な実施形態は、この開示が完全であるために提供されており、その範囲を当業者に完全に伝える。この開示の実施形態の完全な理解を提供するために、特定の構成部品、デバイス、および、方法の例など、多くの具体的な詳細が示されている。特定の詳細を採用する必要はなく、例示的な実施形態は多くの異なる形態で実施することができ、いずれもこの開示の範囲を限定するものと解釈すべきでないことは、当業者には明らかであろう。いくつかの例示的な実施形態において、周知のプロセス（方法における段階）、周知のデバイス構造、および、周知の技術は詳細には記載されていない。
【００４１】
この明細書で使用される用語は、特定の例示的な実施形態を説明する目的のためだけであり、限定することを意図するものではない。この明細書で使用されるように、単数形（定冠詞および不定冠詞）は、文脈が他に明白に示さない限り、複数形も含むことが意図されている。用語「備える」、「有する」、「含む」、および、「持つ」は、包括的であり、従って、記載された特徴、整数、ステップ、操作、要素、および／または、構成部品の存在を特定するが、ひとつまたは複数の他の特徴、整数、ステップ、動作、要素、構成部品、および／または、それらのグループの追加を除外しない。この明細書に記載の方法のステップ、プロセス、および、動作は、特定の順序として具体的に特定されない限り、必ずしも説明または図示された特定の順序を必要とすると解釈されるべきではない。付加的または代替的なステップを用いることが可能であることも理解されるべきである。
【００４２】
ある要素または層が「上にある」、「連結されている」、「接続されている」または「結合されている」と言及されている場合、それは、他の要素、または他の層に対して、直接的に上に、連結され、接続され、または結合されていることがあり、さらに、介在要素または介在層が存在していることがある。対照的に、ある要素が別の要素または層に「直接的に上に」、「直接的に連結されている」、「直接的に接続されている」または「直接的に結合されている」と言及されている場合、介在要素または介在層は存在しない。要素間の関係を説明するために使用される他の言葉は、同様のやり方で（例えば、「間に」対「直接的に間に」、「隣接する」対「直接的に隣接する」など）解釈されるべきである。この明細書で使用される場合、用語「および／または」は、関連する列挙された１つまたは複数の項目に関する任意の組み合わせ、および、すべての組み合わせを含む。
【００４３】
第１、第２、第３などの用語は、様々な要素、構成部品、領域、層、および／または、区画を説明するために、この明細書で使用することができるが、これらの要素、構成部品、領域、層、および／または、区画はこれらの用語によって限定されるべきではない。これらの用語は、ある要素、構成部品、領域、層、または区画を、他の要素、構成部品、領域、層または区画から区別するためにのみ使用されてもよい。「第１」、「第２」、および、他の数値的な用語は、ここで使用される場合、文脈によって明白に示されない限り、手順または順序を意味するものではない。したがって、以下に説明する第１の「要素、構成部品、領域、層または区画」は、例示的な実施形態の教示から逸脱することなく、第２の「要素、構成部品、領域、層または区画」と呼ぶことができる。
【００４４】
空間的に相対的な用語「内」、「外」、「裏」、「下」、「低」、「上」、「高」などは、図示されているような、ひとつの要素または特徴の他の要素または特徴に対する関係を説明する記載を容易にするためにここでは利用されている。空間的に相対的な用語は、図面に描かれている向きに加えて、使用または操作中の装置の異なる向きを包含することを意図することができる。例えば、図中の装置がひっくり返されている場合、他の要素または機能の「下」または「裏」と記載された要素は、他の要素または機能の「上」に向けられる。したがって、例示された用語「下」は、上、および、下の両方の方向を含むことができる。この装置は、他の方向に向いていてもよく（９０度または他の向きに回転されてもよい）、この明細書で使用される空間的に相対的な記述子はそれに応じて解釈される。
【００４５】
この明細書には、以下に列挙する複数の技術的思想が記載されている。（技術的思想１）空気ダクトに取り付けられる複数の気流制御ブレードであって、少なくとも２つの前記気流制御ブレードは、前記空気ダクトのダクト湾曲部において気流を最適化するように構成されており、異なる曲率、または、異なる弦長を有する複数の気流制御ブレードと、複数の前記気流制御ブレードを回動させるための連動機構によって複数の前記気流制御ブレードに連結されたアクチュエータとを備える気流ガイド。（技術的思想２）複数の前記気流制御ブレードは、第１曲率を有する第１気流制御ブレード、第２曲率を有する第２気流制御ブレード、および、第３曲率を有する第３気流制御ブレードを含み、前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、前記第１気流制御ブレードの前記第１曲率は、前記第２気流制御ブレードの前記第２曲率よりも大きい技術的思想１に記載の気流ガイド。（技術的思想３）前記第１気流制御ブレードの前記第１曲率は、前記第３気流制御ブレードの前記第３曲率よりも大きい値をもち、前記第３気流制御ブレードの第３曲率は、前記第１気流制御ブレードの第１曲率よりも小さい値をもち、前記第３気流制御ブレードの前記第３曲率は、前記第２気流制御ブレードの前記第２曲率よりも大きい技術的思想２に記載の気流ガイド。
【００４６】
（技術的思想４）複数の前記気流制御ブレードは、第１弦長を有する第１気流制御ブレード、第２弦長を有する第２気流制御ブレード、および、第３弦長を有する第３気流制御ブレードを含み、前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、前記第１気流制御ブレードの前記第１弦長は、前記第２気流制御ブレードの前記第２弦長よりも短い技術的思想１に記載の気流ガイド。（技術的思想５）前記第１気流制御ブレードの前記第１弦長は、前記第２気流制御ブレードの前記第２弦長よりも短い値をもち、前記第３気流制御ブレードの前記第３弦長は、前記第２気流制御ブレードの前記第２弦長よりも短い技術的思想４に記載の気流ガイド。
【００４７】
（技術的思想６）前記連動機構は、前記アクチュエータによって移動可能なように、前記アクチュエータに接続されたロッドと、前記ロッドを前記第１気流制御ブレードに接続する第１リンクと、前記ロッドを前記第２気流制御ブレードに接続する第２リンクと、前記ロッドを前記第３気流制御ブレードに接続する第３リンクとを備え、前記第１リンクは、前記第２リンクよりも短い技術的思想２に記載の気流ガイド。（技術的思想７）前記第３リンクは、前記第１リンクより長く、前記第２リンクよりも短い技術的思想６に記載の気流ガイド。（技術的思想８）前記アクチュエータによる前記ロッドの作動は、前記第１気流制御ブレードを、前記第２気流制御ブレード、および、前記第３気流制御ブレードのそれぞれよりも大きな回動角度だけ回動させる技術的思想７に記載の気流ガイド。（技術的思想９）前記アクチュエータによる前記ロッドの作動は、前記第３気流制御ブレードを前記第２気流制御ブレードよりも大きな回動角度だけ回動させ、かつ、前記第３気流制御ブレードを前記第１気流制御ブレードよりも小さな回動角度だけ回動させる技術的思想８に記載の気流ガイド。（技術的思想１０）前記第１リンク、および、前記第２リンクのそれぞれは、前記ロッドによって区画される異なるスロット内にスライド可能に受け入れられている技術的思想６に記載の気流ガイド。
【００４８】
（技術的思想１１）空気ダクトに取り付けられる複数の気流制御ブレードであって、少なくとも２つの前記気流制御ブレードは、前記空気ダクトのダクト湾曲部において気流を最適化するように構成されており、異なる曲率、または、異なる弦長を有する複数の気流制御ブレードと、複数の前記気流制御ブレードを回動させるための連動機構によって複数の前記気流制御ブレードに連結されたアクチュエータと、前記空気ダクトを通過する空気の流れの風速を測定するように構成された風速計と、前記風速計に接続されて前記風速を受信し、前記空気ダクト内のファンに接続されて前記ファンのファン速度を受信する制御装置であって、前記空気ダクトに配置された熱交換器全体に均等に空気を指向させるように、前記風速と前記ファン速度とに基づいて、複数の前記気流制御ブレードを予め定められた角度位置に回動させるように前記アクチュエータを操作する制御装置とを備える気流ガイド。（技術的思想１２）複数の前記気流制御ブレードは、前記空気ダクトのダクト湾曲部に配置されている技術的思想１１に記載の気流ガイド。
【００４９】
（技術的思想１３）複数の前記気流制御ブレードは、第１曲率を有する第１気流制御ブレード、第２曲率を有する第２気流制御ブレード、および、第３曲率を有する第３気流制御ブレードを含み、前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、前記第１気流制御ブレードの前記第１曲率は、前記第２気流制御ブレードの前記第２曲率よりも大きい技術的思想１１に記載の気流ガイド。（技術的思想１４）前記第１気流制御ブレードの前記第１曲率は、前記第３気流制御ブレードの前記第３曲率よりも大きい値をもち、前記第３気流制御ブレードの第３曲率は、前記第１気流制御ブレードの第１曲率よりも小さい値をもち、前記第３気流制御ブレードの前記第３曲率は、前記第２気流制御ブレードの前記第２曲率よりも大きい技術的思想１３に記載の気流ガイド。
【００５０】
（技術的思想１５）複数の前記気流制御ブレードは、第１弦長を有する第１気流制御ブレード、第２弦長を有する第２気流制御ブレード、および、第３弦長を有する第３気流制御ブレードを含み、前記第１気流制御ブレードは前記ダクト湾曲部に最も近く、前記第２気流制御ブレードは前記ダクト湾曲部から最も遠く、前記第３気流制御ブレードは前記第１気流制御ブレードと前記第２気流制御ブレードとの間にあり、前記第１気流制御ブレードの前記第１弦長は、前記第２気流制御ブレードの前記第２弦長よりも短い技術的思想１１に記載の気流ガイド。（技術的思想１６）前記第１気流制御ブレードの前記第１弦長は、前記第２気流制御ブレードの前記第２弦長よりも短い値をもち、前記第３気流制御ブレードの前記第３弦長は、前記第２気流制御ブレードの前記第２弦長よりも短い技術的思想１５に記載の気流ガイド。
【００５１】
（技術的思想１７）前記連動機構は、前記アクチュエータによって移動可能なように、前記アクチュエータに接続されたロッドと、前記ロッドを前記第１気流制御ブレードに接続する第１リンクと、前記ロッドを前記第２気流制御ブレードに接続する第２リンクと、前記ロッドを前記第３気流制御ブレードに接続する第３リンクとを備え、前記第１リンクは、前記第２リンクよりも短い技術的思想１３に記載の気流ガイド。（技術的思想１８）前記第３リンクは、前記第１リンクより長く、前記第２リンクよりも短い技術的思想１７に記載の気流ガイド。（技術的思想１９）前記アクチュエータによる前記ロッドの作動は、前記第１気流制御ブレードを、前記第２気流制御ブレード、および、前記第３気流制御ブレードのそれぞれよりも大きな回動角度だけ回動させる技術的思想１８に記載の気流ガイド。（技術的思想２０）前記アクチュエータによる前記ロッドの作動は、前記第３気流制御ブレードを前記第２気流制御ブレードよりも大きな回動角度だけ回動させ、かつ、前記第３気流制御ブレードを前記第１気流制御ブレードよりも小さな回動角度だけ回動させる技術的思想１９に記載の気流ガイド。
【符号の説明】
【００５２】
１０  車両、  １２  気流ガイド、  ２０  フロントバンパー、
２２  グリル、  ２４  空気ダクト、  ２６  ダクト湾曲部、
３０  保管場所、  ３２  フード、  ４０  熱交換器、
４２  ファン、  ５０  風速計、  ６０  制御装置、
７０Ａ  第１気流制御ブレード、
７０Ｂ  第２気流制御ブレード、
７０Ｃ  第３気流制御ブレード、
８０  アクチュエータ、  ９０  連動機構、  ９２  ロッド、
９４Ａ  第１のカップリング、
９４Ｂ  第２のカップリング、
９４Ｃ  第３のカップリング、
１１０Ａ  第１リンク、
１１０Ｂ  第２リンク、
１１０Ｃ  第３リンク。
【図１】
2020153657.tif 000003
【図２】
2020153657.tif 000004